(57)【要約】【課題】ＢＯＤ／ＳＳ負荷が計画値より低い汚水処理プラントであっても、エネルギー効率のいい状態で生物処理でき、さらには短期間に活性汚泥の微生物叢が土壌微生物を優勢とするものへと誘導可能な汚水処理プラントの運転方法、運転制御装置及び汚水処理プラントを提供する。【解決手段】汚水を貯留する貯留槽と、前記貯留槽に貯留された汚水を生物処理する生物処理槽と、前記貯留槽から前記生物処理槽に汚水を送水するポンプ装置と、前記生物処理槽に曝気する曝気装置とを含む汚水処理プラントの運転方法であって、前記ポンプ装置及び前記曝気装置を停止する第一運転状態と、前記ポンプ装置及び前記曝気装置を稼動する第二運転状態とを、一日のうちで切り替えるように運転し、流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する。【選択図】図２
2014208322.tif 000002
【特許請求の範囲】
【請求項１】
汚水を貯留する貯留槽と、前記貯留槽に貯留された汚水を生物処理する生物処理槽と、前記貯留槽から前記生物処理槽に汚水を送水するポンプ装置と、前記生物処理槽に曝気する曝気装置とを含む汚水処理プラントの運転方法であって、
前記ポンプ装置及び前記曝気装置を停止する第一運転状態と、前記ポンプ装置及び前記曝気装置を稼動する第二運転状態とを、一日のうちで切り替えるように運転し、
流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する汚水処理プラントの運転方法。
【請求項２】
搬入された汚水を前脱水する前脱水装置と、前記前脱水装置で前脱水された汚水を貯留する貯留槽と、貯留槽に貯留された汚水を生物処理する生物処理槽と、前記貯留槽から前記生物処理槽に汚水を送水するポンプ装置と、前記生物処理槽に曝気する曝気装置とを含む汚水処理プラントの運転方法であって、
前記前脱水装置を稼動するとともに前記ポンプ装置及び前記曝気装置を停止する第一運転状態と、前記前脱水装置を停止するとともに前記ポンプ装置及び前記曝気装置を稼動する第二運転状態とを、一日のうちで切り替えるように運転し、
流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する汚水処理プラントの運転方法。
【請求項３】
一日当たりの目標汚水処理量及び当該汚水のＢＯＤ、及びＭＬＳＳからＢＯＤ／ＳＳ負荷を算出し、算出したＢＯＤ／ＳＳ負荷が前記所定のＢＯＤ／ＳＳ負荷よりも低い場合に、前記所定のＢＯＤ／ＳＳ負荷で生物処理するように前記第二運転時間を設定し、設定した第二運転時間に基づいて、前記第一運転状態と第二運転状態とを切り替えて運転する請求項１または２記載の汚水処理プラントの運転方法。
【請求項４】
前記生物処理槽または前記生物処理槽の前段で汚水に腐植、腐植抽出物、フミン酸、フルボ酸、珪砂、珪石等のうちの一種または複数種を供給する請求項１から３の何れかに記載の汚水処理プラントの運転方法。
【請求項５】
前記生物処理槽または前記生物処理槽の前段で汚水に腐植、腐植抽出物、フミン酸、フルボ酸、珪砂、珪石等のうちの一種または複数種を供給し、
少なくとも前記汚水処理プラントの立上げ時に、前記第一運転状態と第二運転状態とを一日のうちで切り替えるように運転する請求項１から３の何れかに記載の汚水処理プラントの運転方法。
【請求項６】
前記生物処理槽に腐植、腐植抽出物、フミン酸、フルボ酸、珪砂、珪石等のうちの一種または複数種が固形化されたペレットを供給し、
少なくとも前記第一運転状態で前記ペレットに曝気する請求項１から５の何れかに記載の汚水処理プラントの運転方法。
【請求項７】
前記第二運転状態から前記第一運転状態への移行時に、前記ポンプ装置の停止時期よりも前記曝気装置の停止時期を遅延し、
前記第一運転状態から前記第二運転状態への移行時に、前記曝気装置の稼動時期より前記ポンプ装置の稼動時期を遅延する請求項１から６の何れかに記載の汚水処理プラントの運転方法。
【請求項８】
一日のうち相対的に電力需要の多い時間帯に第一運転状態に移行し、一日のうち相対的に電力需要の少ない時間帯に第二運転状態に移行する請求項１から７の何れかに記載の汚水処理プラントの運転方法。
【請求項９】
前記汚水処理プラントで処理される汚水がし尿及び／または浄化槽汚泥である請求項１から８の何れかに記載の汚水処理プラントの運転方法。
【請求項１０】
汚水を貯留する貯留槽と、前記貯留槽に貯留された汚水を生物処理槽に汚水を送水するポンプ装置と、前記生物処理槽に曝気する曝気装置とを制御する汚水処理プラントの運転制御装置であって、
前記ポンプ装置及び前記曝気装置を停止制御する第一運転状態と、前記ポンプ装置及び前記曝気装置を稼動制御する第二運転状態とを切り替えるように運転し、
流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する汚水処理プラントの運転制御装置。
【請求項１１】
請求項１０記載の汚水処理プラントの運転制御装置であって、
一日当たりの目標汚水処理量及び当該汚水のＢＯＤを入力する入力部と、
前記入力部に入力された汚水処理量、ＢＯＤ、及び予め設定されたＭＬＳＳからＢＯＤ／ＳＳ負荷を算出するＢＯＤ／ＳＳ負荷算出部と、
前記ＢＯＤ／ＳＳ負荷算出部で算出されたＢＯＤ／ＳＳ負荷が予め設定された所定のＢＯＤ／ＳＳ負荷よりも低い場合に、前記所定のＢＯＤ／ＳＳ負荷で生物処理されるように前記第二運転時間を設定し、前記第一運転時間及び前記第二運転時間をスケジューリングする運転計画生成部と、
前記運転計画生成部で生成された運転計画に基づいて、前記第一運転状態と第二運転状態とを切り替えて運転する運転制御部と、
を備えている汚水処理プラントの運転制御装置。
【請求項１２】
汚水を貯留する貯留槽と、前記貯留槽に貯留された汚水を生物処理する生物処理槽と、前記貯留槽から前記生物処理槽に汚水を送水するポンプ装置と、前記生物処理槽に曝気する曝気装置とを含む汚水処理プラントであって、
前記ポンプ装置及び前記曝気装置を停止制御する第一運転状態と、前記ポンプ装置及び前記曝気装置を稼動制御する第二運転状態とを切り替えるように運転し、流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する運転制御装置と、
前記生物処理槽または前記生物処理槽の前段で汚水に腐植、腐植抽出物、フミン酸、フルボ酸、珪砂、珪石等のうちの一種または複数種を供給する土壌微生物活性化剤添加部を備えている汚水処理プラント。
【発明の詳細な説明】
【技術分野】
【０００１】
本発明は、汚水を貯留する貯留槽と、前記貯留槽に貯留された汚水を生物処理する生物処理槽と、前記貯留槽から前記生物処理槽に汚水を送水するポンプ装置と、前記生物処理槽に曝気する曝気装置とを含む汚水処理プラントの運転方法、及び運転制御装置に関する。
【背景技術】
【０００２】
一般に、し尿や浄化槽汚泥を処理する汚水処理プラントが建設される際には、想定される一日あたりの汚水の搬入量から一日あたりに必要となる汚水処理量が計画処理量として定められ、それと、し尿や浄化槽汚泥の混入比から求めた流入水質に基づいて汚水貯留槽や生物処理槽等の容量、生物処理槽への曝気容量、汚水の送水容量等が設計され、各設備から汚水を送水するポンプ装置や生物処理槽へ曝気する曝気装置の仕様等が決定される。そして、これらの設計値によって汚水処理プラントの一日当たりの標準処理量である定格処理量が定まる。
【０００３】
搬入された汚水は、し渣の除去等の前処理が行なわれた後に、一旦貯留槽に貯留され、計画処理量に従って貯留槽から生物処理槽に定量的に送水される。そして、生物処理された被処理水は、活性炭ろ過等の高度処理が行なわれた後に河川等に放流される。通常、汚水処理プラントでは、定格処理量の汚水を処理するために、曝気装置が２４時間連続的に定格運転状態で稼動している。そして、通常、土日休業する場合、貯留槽の容量は一日の計画処理量の２〜３倍程度の容量に設計され、ポンプ装置によって定量的に計画処理量の汚水を生物処理槽へ送水するように設計されている。
【０００４】
特許文献１には、２４時間連続的に稼動しながらも、安価な深夜電力を効率的に用いることが可能な汚水処理プラントの運転方法が開示されている。
【先行技術文献】
【特許文献】
【０００５】
【特許文献１】特許第３７６３９８９号公報
【発明の概要】
【発明が解決しようとする課題】
【０００６】
しかし、近年、下水道の普及や浄化槽の普及によってし尿等の搬入量が低下傾向にあり、また浄化槽汚泥の混入比が増加することにより、全体として汚水処理プラントへの汚水の負荷量は、減少する傾向にある。
【０００７】
汚水処理プラントでは、一日あたりの汚水の負荷量が定格処理量に満たないこのような状況下でも、生物処理の途中で運転を停止すると、生物処理槽での処理環境条件が大きく変動し、汚水の浄化処理の程度にばらつきが発生する虞があったため、曝気装置による曝気量を定格より低下させ、ポンプ装置の送水量を定格処理量の汚水を送水する場合よりも少ない送水量で２４時間連続的に稼動していた。
【０００８】
具体的に、単位ＭＬＳＳ当たり、一日に流入するＢＯＤ量であるＢＯＤ／ＳＳ負荷が所定の計画ＢＯＤ／ＳＳ負荷に満たないような状況下でも、曝気装置による曝気量を定格より低下させ、ポンプ装置の送水量を定格よりも少ない送水量で２４時間連続的に稼動していた。
【０００９】
そのため、動力効率が悪く電力消費量が嵩むばかりか、商用電源に対する需要が最大となる時間帯も最小となる時間帯もある程度の電力が継続的に消費されていた。特に、汚水が搬入される日中の所定の時間帯には前処理装置も連続的に稼動するため、消費電力が一層増加しており、特に商用電源に対する需要が最大となる時間帯において、消費電力を低減可能な汚水処理プラントの運転方法が望まれていた。
【００１０】
ところで、活性汚泥法を採用する汚水処理装置において、処理槽中に腐植、腐植抽出物、フミン酸、フルボ酸、珪砂、珪石等のうちの一種または複数種を投与することで、汚泥の微生物叢を、土壌微生物を優勢とするものへ誘導し、汚水処理能力を向上させる、土壌微生物活性化法と呼ばれる技術が存在している。
【００１１】
しかし、計画値よりもＢＯＤ／ＳＳ負荷が低い場合には、汚泥の誘導に要する期間が長くなり、もともと処理能力に余裕がある装置では誘導後も効果が顕在化しにくいことから、低いＢＯＤ／ＳＳ負荷で処理能力に余裕を持って運転している近年の汚水処理プラントでは土壌微生物活性化法を採用しにくいという問題があった。
【００１２】
本発明の目的は、上述した問題点に鑑み、ＢＯＤ／ＳＳ負荷が計画値より低い汚水処理プラントであっても、エネルギー効率のいい状態で生物処理でき、さらには短期間に活性汚泥の微生物叢が土壌微生物を優勢とするものへと誘導可能な汚水処理プラントの運転方法、運転制御装置及び汚水処理プラントを提供する点にある。
【課題を解決するための手段】
【００１３】
上述の目的を達成するため、本発明による汚水処理プラントの運転方法の第一特徴構成は、汚水を貯留する貯留槽と、前記貯留槽に貯留された汚水を生物処理する生物処理槽と、前記貯留槽から前記生物処理槽に汚水を送水するポンプ装置と、前記生物処理槽に曝気する曝気装置とを含む汚水処理プラントの運転方法であって、前記ポンプ装置及び前記曝気装置を停止する第一運転状態と、前記ポンプ装置及び前記曝気装置を稼動する第二運転状態とを、一日のうちで切り替えるように運転し、流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する点にある。
【００１４】
流入汚水のＢＯＤ／ＳＳ負荷が予め想定されている負荷よりも低い場合に、比較的消費電力が大きなポンプ装置及び曝気装置を停止する第一運転状態と、そのようなポンプ装置及び曝気装置をほぼ定格で稼動させる第二運転状態とを、一日のうちで切り替え、第二運転状態でＢＯＤ／ＳＳ負荷を高めて一日分の汚水を処理することによって、ポンプ装置及び曝気装置を動力効率のいい状態で運転できるようになり、電力消費量を減少させることができる。
【００１５】
本発明による汚水処理プラントの運転方法の第二の特徴構成は、同請求項２に記載した通り、搬入された汚水を前脱水する前脱水装置と、前記前脱水装置で前脱水された汚水を貯留する貯留槽と、貯留槽に貯留された汚水を生物処理する生物処理槽と、前記貯留槽から前記生物処理槽に汚水を送水するポンプ装置と、前記生物処理槽に曝気する曝気装置とを含む汚水処理プラントの運転方法であって、前記前脱水装置を稼動するとともに前記ポンプ装置及び前記曝気装置を停止する第一運転状態と、前記前脱水装置を停止するとともに前記ポンプ装置及び前記曝気装置を稼動する第二運転状態とを、一日のうちで切り替えるように運転し、流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する点にある。
【００１６】
汚水処理プラントに搬入された汚水を生物処理するに先立って、汚水に含まれる汚濁物質を固形物として除去するために、凝集剤が添加された汚水を攪拌して脱水する脱水装置等を含む前脱水装置が設けられる処理方式（浄化槽汚泥対応型脱窒素処理方式）がある。前脱水装置で固形分が除去されると汚水のＢＯＤがさらに低くなる。このような前脱水装置は専ら汚水の搬入時に稼動し、搬入が無いときは稼動する必要がない。そこで、ポンプ装置及び曝気装置を停止する第一運転状態のときに前処理装置を稼動し、ポンプ装置及び曝気装置を稼動する第二運転状態でＢＯＤ／ＳＳ負荷を高めて効率的に処理するときに前処理装置を停止するように運転を切り替えることにより、汚水処理プラントでの一日における消費電力の平準化を図ることができる。
【００１７】
本発明による汚水処理プラントの運転方法の第三の特徴構成は、同請求項３に記載した通り、上述の第一または第二の特徴構成に加えて、一日当たりの目標汚水処理量及び当該汚水のＢＯＤ、及びＭＬＳＳからＢＯＤ／ＳＳ負荷を算出し、算出したＢＯＤ／ＳＳ負荷が前記所定のＢＯＤ／ＳＳ負荷よりも低い場合に、前記所定のＢＯＤ／ＳＳ負荷で生物処理するように前記第二運転時間を設定し、設定した第二運転時間に基づいて、前記第一運転状態と第二運転状態とを切り替えて運転する点にある。
【００１８】
第二運転時間が短ければ、一日当たりの目標汚水処理量を処理しきれず、逆に第二運転時間が長ければ、プラントのエネルギー効率が悪くなるが、上述の構成によれば、一日当たりの目標汚水処理量を処理するための、過不足ない第二運転時間を算出し、プラントを運転できるようになる。
【００１９】
本発明による汚水処理プラントの運転方法の第四の特徴構成は、同請求項４に記載した通り、上述の第一から第三の何れかの特徴構成に加えて、前記生物処理槽または前記生物処理槽の前段で汚水に腐植、腐植抽出物、フミン酸、フルボ酸、珪砂、珪石等のうちの一種または複数種を供給する点にある。
【００２０】
上述の構成によれば、生物処理槽内の活性汚泥へ、腐植、腐植抽出物、フミン酸、フルボ酸、珪砂、珪石等のうちの一種または複数種（以下、これらを「土壌微生物活性化剤」と記す。）を供給することで、活性汚泥の微生物叢が土壌微生物を優勢とするものへと誘導され、土壌微生物活性化法による汚水処理が可能になり、その状態を安定的に維持できる。
【００２１】
尚、供給する土壌微生物活性化剤の形態は、例えば、汚泥の微生物叢を誘導する誘導立ち上げ期には、溶解しやすく摂取されやすい粉末状の形態が好ましく、誘導した汚泥を維持する誘導安定期には、固形化した形態を用いることが好ましい。
【００２２】
本発明による汚水処理プラントの運転方法の第五の特徴構成は、同請求項５に記載した通り、上述の第一から第三の何れかの特徴構成に加えて、前記生物処理槽または前記生物処理槽の前段で汚水に腐植、腐植抽出物、フミン酸、フルボ酸、珪砂、珪石等のうちの一種または複数種を供給し、少なくとも前記汚水処理プラントの立上げ時に、前記第一運転状態と第二運転状態とを一日のうちで切り替えるように運転する点にある。
【００２３】
誘導立ち上げ期において、ＢＯＤ／ＳＳ負荷が低いと誘導に要する期間が長くなるが、上述の構成によれば、一日分の汚水が一日より短い第二運転状態の時間だけで処理されるため、低負荷で２４時間運転する場合に比べて、第二運転状態でのＢＯＤ／ＳＳ負荷が高くなり、誘導立ち上げ期を短期間で完了することができる。
【００２４】
本発明による汚水処理プラントの運転方法の第六の特徴構成は、同請求項６に記載した通り、上述の第一から第五の何れかの特徴構成に加えて、前記生物処理槽に腐植、腐植抽出物、フミン酸、フルボ酸、珪砂、珪石等のうちの一種または複数種が固形化されたペレットを供給し、少なくとも前記第一運転状態で前記ペレットに曝気する点にある。
【００２５】
上述の構成によれば、一度土壌微生物優勢が達成された後の誘導安定期において、生物処理槽に設置されたリアクターから土壌微生物活性化剤を継続的に供給することができる。
【００２６】
リアクターとは固形化した土壌微生物活性化剤のペレットを充填する容器であり、曝気によってリアクター内に上向流を起こさせることで土壌微生物活性化剤を溶出させ、処理槽内の活性汚泥へ供給する。処理槽の曝気装置が停止する第一運転状態においても、土壌微生物活性化剤は供給し続ける必要があるため、リアクターには別個の曝気装置を備え付け、少なくとも第一運転状態において稼動させることで、リアクター内の上向流を維持する。
【００２７】
本発明による汚水処理プラントの運転方法の第七の特徴構成は、同請求項７に記載した通り、上述の第一から第六の何れかの特徴構成に加えて、前記第二運転状態から前記第一運転状態への移行時に、前記ポンプ装置の停止時期よりも前記曝気装置の停止時期を遅延し、前記第一運転状態から前記第二運転状態への移行時に、前記曝気装置の稼動時期より前記ポンプ装置の稼動時期を遅延する点にある。
【００２８】
第二運転状態から第一運転状態への移行時に、ポンプ装置と曝気装置を直ちに停止すると、その直前に生物処理槽に流入した汚水が十分に生物処理される前に槽内が嫌気状態に移行するため、好気性微生物によるアンモニアの硝化が阻害され、次に第二運転状態に移行したときに未硝化のアンモニアがそのまま生物処理水として流出される虞があるが、ポンプ装置の停止時期よりも曝気装置の停止時期を遅延させることによって、しばらくの間生物処理槽を好気状態に維持してアンモニアの硝化を促進することができ、これによって第二運転状態に移行したときに未硝化のアンモニアがそのまま流出されるといった不都合が回避できる。
【００２９】
また、第一運転状態である程度時間が経過して嫌気状態に移行した生物処理槽では脱窒処理が進み汚水中に窒素ガスが溶解した状態になっており、ポンプ装置と曝気装置を直ちに稼動すると、窒素ガスが十分に脱気されること無く後段に送水され、沈殿等の固液分離を悪化させるという問題が発生するが、曝気装置の稼動時期よりポンプ装置の稼動時期を遅延させることによって、汚水中に溶解した窒素ガスが速やかに脱気されるようになる。さらに、第一運転状態から第二運転状態への移行時に、ポンプ装置と曝気装置を直ちに稼動すると、上述と同様に、第一運転状態で嫌気状態になった生物処理槽に流入した汚水が十分に硝化されることなく、未硝化のアンモニアがそのまま生物処理水として流出される虞があるが、曝気装置の稼動時期よりポンプ装置の稼動時期を遅延させることによって、嫌気状態の生物処理槽を好気状態に移行させて、アンモニアの硝化を促進する環境に移行することができ、これによって第二運転状態に移行したときに未硝化のアンモニアがそのまま流出されることが回避でき、速やかに定常運転に移行することができる。
【００３０】
本発明による汚水処理プラントの運転方法の第八の特徴構成は、同請求項８に記載した通り、上述の第一から第七の何れかの特徴構成に加えて、一日のうち相対的に電力需要の多い時間帯に第一運転状態に移行し、一日のうち相対的に電力需要の少ない時間帯に第二運転状態に移行する点にある。
【００３１】
例えば、一日のうち相対的に電力需要の多い時間帯に第一運転状態に移行し、一日のうち相対的に電力需要の少ない時間帯に第二運転状態に移行すると、電力需要の多い時間帯での電力の使用を低減することが可能になり、電力負荷の平準化に資することができる。そして、例えば一日のうち相対的に電力需要の少ない時間帯が深夜であり、深夜の電力料金が昼間に比べて安価に設定されている場合には、汚水処理プラントの運転コストも大幅に低減するようになる。
【００３２】
本発明による汚水処理プラントの運転方法の第九の特徴構成は、同請求項９に記載した通り、上述の第一から第八の何れかの特徴構成に加えて、前記汚水処理プラントで処理される汚水がし尿及び／または浄化槽汚泥である点にある。
【００３３】
本発明は汚水処理に広く利用可能であるが、特に、有機汚泥負荷の高い、し尿や浄化槽汚泥の処理に好適である。
【００３４】
本発明による汚水処理プラントの運転制御装置の第一の特徴構成は、同請求項１０に記載した通り、汚水を貯留する貯留槽と、前記貯留槽に貯留された汚水を生物処理槽に汚水を送水するポンプ装置と、前記生物処理槽に曝気する曝気装置とを制御する汚水処理プラントの運転制御装置であって、前記ポンプ装置及び前記曝気装置を停止制御する第一運転状態と、前記ポンプ装置及び前記曝気装置を稼動制御する第二運転状態とを切り替えるように運転し、流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する点にある。
【００３５】
本発明による汚水処理プラントの運転制御装置の第二の特徴構成は、同請求項１１に記載した通り、請求項１０記載の汚水処理プラントの運転制御装置であって、一日当たりの目標汚水処理量及び当該汚水のＢＯＤを入力する入力部と、前記入力部に入力された汚水処理量、ＢＯＤ、及び予め設定されたＭＬＳＳからＢＯＤ／ＳＳ負荷を算出するＢＯＤ／ＳＳ負荷算出部と、前記ＢＯＤ／ＳＳ負荷算出部で算出されたＢＯＤ／ＳＳ負荷が予め設定された所定のＢＯＤ／ＳＳ負荷よりも低い場合に、前記所定のＢＯＤ／ＳＳ負荷で生物処理されるように前記第二運転時間を設定し、前記第一運転時間及び前記第二運転時間をスケジューリングする運転計画生成部と、前記運転計画生成部で生成された運転計画に基づいて、前記第一運転状態と第二運転状態とを切り替えて運転する運転制御部とを備えている点にある。
【００３６】
本発明による汚水処理プラントの特徴構成は、同請求項１２に記載した通り、汚水を貯留する貯留槽と、前記貯留槽に貯留された汚水を生物処理する生物処理槽と、前記貯留槽から前記生物処理槽に汚水を送水するポンプ装置と、前記生物処理槽に曝気する曝気装置とを含む汚水処理プラントであって、前記ポンプ装置及び前記曝気装置を停止制御する第一運転状態と、前記ポンプ装置及び前記曝気装置を稼動制御する第二運転状態とを切り替えるように運転し、流入汚水のＢＯＤ／ＳＳ負荷が所定のＢＯＤ／ＳＳ負荷よりも低い場合に、前記所定のＢＯＤ／ＳＳ負荷で生物処理されるように第二運転時間を設定する運転制御装置と、前記生物処理槽または前記生物処理槽の前段で汚水に腐植、腐植抽出物、フミン酸、フルボ酸、珪砂、珪石等のうちの一種または複数種を供給する土壌微生物活性化剤添加部を備えている点にある。
【発明の効果】
【００３７】
以上説明した通り、本発明によれば、ＢＯＤ／ＳＳ負荷が計画値より低い汚水処理プラントであっても、エネルギー効率のいい状態で生物処理でき、さらには短期間に活性汚泥の微生物叢が土壌微生物を優勢とするものへと誘導可能な汚水処理プラントの運転方法、運転制御装置及び汚水処理プラントを提供することができるようになった。
【図面の簡単な説明】
【００３８】
【図１】本発明による制御装置を含む汚水処理プラントの説明図
【図２】運転制御装置により実行される制御手順のフローチャート
【図３】本発明が適用可能な汚水処理プラントの別実施形態の説明図
【図４】本発明が適用可能な汚水処理プラントの別実施形態の説明図
【図５】本発明が適用可能な汚水処理プラントの別実施形態の説明図
【発明を実施するための形態】
【００３９】
以下、本発明による汚水処理プラントの運転方法、運転制御装置及び汚水処理プラントを説明する。
【００４０】
ここでは、浄化槽汚泥対応型脱窒素処理方式を採用した汚水処理プラント１を例に説明する。図１に示すように、汚水処理プラント１は、搬入されたし尿や浄化槽汚泥を受け入れて前処理を行なう前処理設備２と、前処理された汚水を前脱水する前脱水設備２´と、前脱水した汚水を生物処理によって浄化する生物処理設備３と、生物処理された後の被処理水を放流に適した状態に後処理する後処理設備４と、生物処理等で発生した余剰汚泥等を処理する汚泥処理設備５とを備えている。
【００４１】
前処理設備２は、受入槽２１と前貯留槽２３とを備え、受入槽２１と前貯留槽２３の間に前処理装置である除さ装置２２が設置される。前貯留槽２３と貯留槽２５の間に前脱水装置２４を含む前脱水設備２´が設置されている。
【００４２】
し尿収集車両等によって搬入されたし尿や浄化槽汚泥等の汚水は、先ず受入槽２１に投入され、カッター付きポンプＰ１によって固形物が粉砕されながら除さ装置２２に送られ、後段の機械破損の原因となり、また生物処理に適さないし渣等の固形異物が除さ装置２２によって除去された後に前貯留槽２３に貯留される。
【００４３】
さらに、前貯留槽２３の汚水はポンプＰ２によって前脱水装置２４に送られ、有機汚濁物が分離された後に貯留槽２５に貯留される。貯留槽２５に貯留された汚水は、ポンプＰ３によって生物処理設備３に送水される。
【００４４】
ポンプＰ２から前脱水装置２４の経路に無機凝集剤が投入され、有機汚濁物が凝集されて前脱水装置２４で除去されるのである。前脱水装置２４では、汚水中のＢＯＤやＳＳとともにリンや窒素がある程度脱水汚泥とともに汚水から分離され、後段の生物処理設備で処理すべき負荷が軽減される。そのため、生物処理設備３内の汚水を希釈したり、生物処理設備３の後段でリンやＣＯＤを除去するための高度処理を簡略化することができる。
【００４５】
搬入される汚水量が変動する場合でも安定して連続処理可能なように、受入槽２１は汚水処理プラント１の計画時の一日あたりの定格処理量の半日から一日分を貯留可能な容量に設定され、貯留槽２５は定格処理量の数日分を貯留可能な容量に設定されている。
【００４６】
生物処理設備３には、脱窒素槽３１と硝化槽３２と二次脱窒素槽３３と再曝気槽３４が順に設置され、各槽の汚水に曝気する曝気装置３５ａが設置されている。曝気装置３５ａは、ブロワファンＢと各槽に設置された散気ノズルと配管等を備えている。
【００４７】
また、硝化槽３２には、土壌微生物活性化剤を供給するための土壌微生物活性化剤添加部としてペレット化された土壌微生物活性化剤が充填され、底部に曝気装置３５ｂが設けられた容器であるリアクター７が設置されている。既に説明したが、土壌微生物活性化剤とは、腐植、腐植抽出物、フミン酸、フルボ酸、珪砂、珪石等をいい、これらのうちの一種または複数種を用いることができる。リアクター７内の土壌微生物活性化剤が水中で曝気装置３５ｂにより攪拌され、徐々に溶解して土壌性微生物が誘導される。尚、土壌微生物活性化剤添加部は硝化槽３２に設ける態様に制限されるものではなく、再曝気槽３４にも備えることができる。
【００４８】
つまり、活性汚泥に土壌微生物活性化剤を供給することにより、活性汚泥を構成する微生物叢が変化する。その結果、汚泥の濃縮性及び沈殿性が改善して、悪臭を防除するとともに、汚泥発生量を低減することができるようになる。腐植とは、動植物及び微生物の遺体が土壌中で生物群集により分解を受けて生成したポリフェノール類、キノン類、アミノ化合物が、酵素、微生物の酸化酵素、無機イオン、粘土鉱物等の触媒作用により重縮合し、土壌固有の暗色無定形コロイド状高分子化合物に変化していた物質、及び分解過程にある生物遺体成分であり、土壌性微生物を優先維持できるとともに、汚泥の凝集作用や悪臭成分の除去作用等を有する。つまり、土壌微生物活性化剤によって土壌菌群を誘導することができる。
【００４９】
貯留槽２５からポンプＰ３によって送水される汚水は、先ず脱窒素槽３１に導かれ、その後硝化槽３２に移送され、脱窒素槽３１と硝化槽３２を循環することにより硝化・脱窒素処理される。比較的嫌気状態に維持される脱窒素槽３１では、脱窒菌によって汚水から窒素が分離され、分離された窒素が曝気装置３５ａから槽内に供給される僅かな量の気泡によって攪拌されながら脱気される。
【００５０】
曝気装置３５ａから槽内に供給される所定量の気泡によって好気状態に維持される硝化槽３２では、硝化菌によってアンモニアが硝化、つまり硝酸イオン及び亜硝酸イオンに酸化される。硝化槽３２で硝化された汚水の一部がポンプＰ４で脱窒素槽３１に循環供給されて、脱窒素処理、つまり硝酸イオン及び亜硝酸イオンが窒素に還元される。
【００５１】
また、硝化槽３２では、汚泥中の微生物叢を土壌微生物優勢へと誘導するため、土壌微生物活性化剤の供給が行われる。
【００５２】
一度誘導が達成された後の誘導安定期には、硝化槽３２内に設置されたリアクター７に充填された固形の土壌微生物活性化剤が、下部からの曝気によって発生する上向流によって溶出することで供給される。曝気装置３５ａが停止する第一運転状態時でも、リアクター７に備え付けられた曝気装置３５ｂを稼動させることで、土壌微生物活性化剤の供給が維持される。
【００５３】
リアクター用曝気装置３５ｂは、第二運転状態移行時に停止する必要はないが、曝気装置３５ａによってリアクター７に充填された固形の土壌微生物活性化剤が溶出するのであれば、曝気装置３５ｂを停止させてもよい。
【００５４】
硝化槽３２で生物処理された汚水は、比較的嫌気状態に維持される二次脱窒素槽３３に移送されて脱窒素処理され、その後再曝気槽３４に移送される。再曝気槽３４には、膜分離装置３６が浸漬設置されており、槽内の汚水は膜分離装置３６に接続されたポンプＰ５で吸引され、膜分離装置３６によって固液分離された被処理水が後処理設備４に送水される。膜分離装置３６の下部には曝気装置３５ａの散気ノズルが配置され、気泡によって分離膜表面が洗浄される。
【００５５】
尚、膜分離装置３６に用いられる分離膜として、限外濾過膜、精密濾過膜等が採用される。膜の形態は、中空糸膜、平膜、チューブラー膜などが採用される。
【００５６】
再曝気槽３４の汚泥の一部は、ポンプＰ６によって返送汚泥として脱窒素槽３１に返送され、ポンプＰ７によって余剰汚泥として前貯留槽２３に送られる。
【００５７】
前貯留槽２３に送られた余剰汚泥は前脱水装置２４で汚水から分離され、分離された汚泥は汚泥処理設備５で処理される。汚泥処理設備５には、汚泥焼却炉等の減量処理と、堆肥化等の資源化処理が含まれる。
【００５８】
後処理設備４には、活性炭原水槽４１と処理水槽４３と滅菌槽４４が設置され、活性炭原水槽４１と処理水槽４３の間に活性炭吸着設備４２が配置されている。膜分離装置３６を介して送水され、活性炭原水槽４１に貯留されたた被処理水は、ポンプＰ８を介して活性炭吸着設備４２に送水され、ＣＯＤや着色成分が吸着された後に処理水槽４３に貯留され、さらに滅菌槽４４で次亜塩素酸等によって滅菌された後に河川等に放流される。
【００５９】
上述した複数のポンプＰ１〜Ｐ８及びブロワファンＢを構成する電動機は、何れも三相誘導電動機が用いられている。三相誘導電動機は、一定電圧の下では定格負荷時と比較して軽負荷時の効率が悪化する特性があり、負荷変動に対応する必要があれば、端子電圧の制御等複雑な制御系が必要になる。本実施形態では、負荷変動を抑制して定格負荷運転を可能にすることで、効率の低下を抑制することができる。
【００６０】
上述の汚水処理プラント１は、コンピュータが組み込まれた運転制御装置６によって運転管理される。以下、運転制御装置６によって制御される汚水処理プラント１の運転方法について詳述する。
【００６１】
図１に示すように、運転制御装置６は、操作装置６１と演算装置６２と信号入出力装置６３等を備えている。操作装置６１は運転条件等を入力する複数の入力キーでなる入力部と、入力条件や制御状態等を表示する液晶等でなる表示部を備えている。
【００６２】
信号入出力装置６３は、演算装置６２と汚水処理プラント１との間のインターフェースであり、汚水処理プラント１を運転する各ポンプ装置等の各種のアクチュエータに制御信号を出力する出力回路や、各種のアクチュエータからのモニタ信号及び汚水処理プラント１に設置された各種のセンサからの検出信号を入力する入力回路が設けられている。
【００６３】
演算装置６２にはコンピュータが組み込まれ、予め設定されたプログラムに基づいて、操作装置６１を介して入力された運転条件や信号入出力装置６３を介して入力されたモニタ信号及び検出信号に基づいて所定の制御演算を実行し、その結果、信号入出力装置６３に各種のアクチュエータを作動または停止する制御信号を出力する。
【００６４】
運転制御装置６は、一日のうち相対的に電力需要の多い時間帯に、ポンプＰ１，Ｐ２、前処理装置の一例である除さ装置２２、前脱水装置２４、さらにリアクター用曝気装置３５ｂを稼動制御するとともに、生物処理槽で生物処理をする際に稼動させる必要のあるポンプ装置、具体的にはポンプＰ３〜Ｐ８及び曝気装置３５ａを停止制御する第一運転状態と、一日のうち相対的に電力需要の少ない時間帯に、ポンプＰ１，Ｐ２及び除さ装置２２や前脱水装置２４を停止制御し、ポンプＰ３〜Ｐ８、曝気装置３５ａ及びリアクター用曝気装置３５ｂを定格運転状態で稼動制御する第二運転状態とを切り替えるように運転する。第二運転状態では少なくとも曝気装置３５ａは定格で稼動されることが好ましく、ポンプＰ３は定格運転状態で連続または間歇的に稼動され、汚水が定量的に生物処理槽に送水されることが好ましい。
【００６５】
ここで、ポンプを定格で稼動するとは、予め定められた単位時間当たりの流量、揚程で送水可能な仕様点での運転に必要な消費電力の±２０％程度の範囲内、好ましくは±１５％程度の範囲内、さらに好ましくは±１０％程度の範囲内の消費電力で稼動することをいい、このようにポンプを定格で稼動する状態を定格運転状態という。
【００６６】
そして、運転制御装置６は、第二運転状態から第一運転状態への移行時に、ポンプＰ３〜Ｐ８の停止時期よりも曝気装置３５ａの停止時期を遅延制御し、第一運転状態から第二運転状態への移行時に、曝気装置３５ａの稼動時期よりポンプＰ３〜Ｐ８の稼動時期を遅延制御する。
【００６７】
このように制御すれば、汚水処理プラント１が構築された地域で、電力需要の多い時間帯での電力の使用を低減することが可能になるとともに、一日を通してポンプＰ３〜Ｐ８及び曝気装置３５ａを連続稼動させなくとも、ポンプＰ３〜Ｐ８及び曝気装置３５ａの稼動時間帯にポンプＰ３〜Ｐ８及び曝気装置３５ａを例えば定格処理量に対応する稼動条件で稼動すれば、一日に搬入される汚水のＢＯＤが低い場合でも、この限られた時間帯でＢＯＤ／ＳＳ負荷を高めた状態で処理できるようになる。
【００６８】
また、第二運転状態から第一運転状態への移行時に、ポンプＰ３〜Ｐ８と曝気装置３５ａを直ちに停止すると、その直前に生物処理槽３１〜３４、特に硝化槽３２に流入した汚水が十分に生物処理される前に槽内が嫌気状態に移行するため、好気性微生物によるアンモニアの分解処理が阻害され、次に第二運転状態に移行したときに未分解のアンモニアがそのまま河川に放水されるような虞があるが、ポンプＰ３〜Ｐ８の停止時期よりも曝気装置３５ａの停止時期を遅延させることによって、しばらくの間生物処理槽３１〜３４を好気状態に維持することによりアンモニアの硝化を促進することができ、これによって次に第二運転状態に移行したときに未分解のアンモニアがそのまま放水されるといった不都合が回避できる。
【００６９】
また、第一運転状態である程度時間が経過して嫌気状態に移行した生物処理槽３１〜３４では脱窒処理が進み汚水中に窒素ガスが溶解した状態になっており、ポンプＰ３〜Ｐ８と曝気装置３５ａを直ちに稼動すると、窒素ガスが十分に脱気されること無く後段に送水されるという問題が発生するが、曝気装置３５ａの稼動時期よりポンプＰ３〜Ｐ８の稼動時期を遅延させることによって、汚水中に溶解した窒素ガスが速やかに脱気されるようになる。特に脱窒素槽３１での窒素の脱気処理が捗るようになる。
【００７０】
さらに、第一運転状態から第二運転状態への移行時に、ポンプＰ３〜Ｐ８と曝気装置３５ａを直ちに稼動すると、上述と同様に、第一運転状態で嫌気状態になった硝化槽３２に流入した汚水が十分に硝化されることなく、未分解のアンモニアがそのまま放水される虞があるが、曝気装置３５ａの稼動時期よりポンプＰ３〜Ｐ８の稼動時期を遅延させることによって、嫌気状態の硝化槽３２を好気状態に移行させて、アンモニアの硝化を促進する環境に移行することができ、これによって第二運転状態に移行したときに未分解のアンモニアがそのまま流出されることが回避でき、速やかに定常運転に移行することができる。
【００７１】
尚、第一運転状態への移行時や第二運転状態への移行時には、生物処理槽内の溶存酸素濃度が定常状態の１．５倍から５倍、好ましくは２倍から４倍、さらに好ましくは、２．５倍から３．５倍、例えば定常状態で１〜２ｍｇ／Ｌ程度の溶存酸素濃度よりも高い３〜４ｍｇ／Ｌ程度の溶存酸素濃度に高めることが好ましい。
【００７２】
そのために、槽内、好ましくは硝化槽３２に溶存酸素濃度を計測するセンサが設けられ、前記センサが計測した溶存酸素濃度の値が信号入出力装置６３を介して演算装置６２に入力されるように構成されている。演算装置は、入力された信号値に基づいて目標の溶存酸素濃度になった時点で、第一運転状態への移行時には曝気装置３５ａを停止し、第二運転状態への移行時にはポンプＰ３〜Ｐ８を稼動させるように制御する。
【００７３】
一日のうち相対的に電力需要の少ない時間帯が深夜であり、深夜の電力料金が昼間に比べて安価に設定されている場合には、深夜時間帯に第二運転状態となるように制御すれば、汚水処理プラント１の運転コスト、特に電力料金が大幅に低減するようになる。
【００７４】
例えば、汚水が搬入される午前８時から正午までの時間帯を含む日中に、主に第一運転状態となって前処理装置と前脱水装置が稼動し、その後、夜間に第二運転状態となって生物処理設備が稼動するように制御するのが好ましい。しかし、これは一例であり、少なくとも一日のうち相対的に電力需要の多い時間帯に第一運転状態となり、一日のうち相対的に電力需要の少ない時間帯に第二運転状態になるように切り替えるものであればよい。
【００７５】
図２には、上述した運転制御装置６により実行する制御手順が示されている。初期に汚水処理プラント１及び運転制御装置６に電源を投入し、オペレータが操作装置６１の入力部を介して一日当たりの目標汚水処理量及び当該汚水のＢＯＤを入力すると（Ｓ１）、先ず当該汚水処理量とＢＯＤ及び予め設定されたＭＬＳＳからＢＯＤ／ＳＳ負荷が算出される（Ｓ２）。
【００７６】
次にステップＳ２で算出されたＢＯＤ／ＳＳ負荷が予め設定した所定のＢＯＤ／ＳＳ負荷よりも低い場合に、計画値である所定のＢＯＤ／ＳＳ負荷で生物処理されるように一日当たり稼動すべき第二運転状態に要する第二運転時間を設定し、第一運転状態に要する第一運転時間及び第二運転時間をスケジューリングする（Ｓ３）。
【００７７】
その後、生成した運転計画に基づいて、第一運転状態と第二運転状態とを切り替えるように運転を開始する（Ｓ４）。ここで、ステップＳ２を実行する運転制御装置６によりＢＯＤ／ＳＳ負荷算出部が構成され、ステップＳ３を実行する運転制御装置６により運転計画生成部が構成されている。
【００７８】
例えば、目標処理量が５０ｍ３／日で、ＢＯＤが５０Ｋｇ／ｍ３であると入力すると、一日当たりのＢＯＤは２５００Ｋｇ／日であると算出される。脱窒素槽３１と硝化槽３２でのＭＬＳＳが１００００ｍｇ／ｌ、つまり１０Ｋｇ／ｍ３であり、その合計容量が５００ｍ３である場合、ＢＯＤ／ＳＳ負荷が以下の数式で算出される。
ＢＯＤ／ＳＳ負荷＝２５００Ｋｇ／日÷（１０Ｋｇ／ｍ３×５００ｍ３）
＝０．５Ｋｇ／Ｋｇ・日
【００７９】
ＢＯＤ／ＳＳ負荷の初期の計画値が０．５であるなら２４時間連続運転することにより、計画値のＢＯＤ／ＳＳ負荷の通り処理できる。
【００８０】
しかし、目標処理量が５０ｍ３／日で、ＢＯＤが２５Ｋｇ／ｍ３であると入力すると、ＢＯＤ／ＳＳ負荷は０．２５Ｋｇ／Ｋｇ・日となるので、計画値のＢＯＤ／ＳＳ負荷の１／２の負荷になる。従来ならこのような場合にポンプの送水量を半分に低下させて２４時間連続運転していたのであるが、本発明では運転計画生成部によって、連続運転時間を１日のうちの１２時間に設定する。
【００８１】
つまり、第１運転状態を１２時間、第２運転状態を１２時間に設定する。第１運転状態の開始時刻は、し尿や浄化槽汚泥が搬入される午前中の所定時刻、例えば午前７時に設定し、第２運転状態の開始時刻は午後７時に設定する。
【００８２】
第１運転状態の開始時刻または第２運転状態の開始時刻の何れかが、操作装置６１の入力部を介してオペレータによって入力設定可能に構成してもよい。その場合、運転計画生成部は設定した時刻に対応する運転状態を開始するように運転計画を設定する。
【００８３】
また、目標処理量が５０ｍ３／日で、ＢＯＤが１０Ｋｇ／ｍ３であると入力されると、ＢＯＤ／ＳＳ負荷は０．１Ｋｇ／Ｋｇ・日となるので、計画値のＢＯＤ／ＳＳ負荷の１／５の負荷になる。この場合は、第２運転時間が２４／５＝４．８時間であると設定され、例えば電力需要の低い深夜時間帯に第２運転状態を開始するように運転計画を設定する。
【００８４】
図２の説明に戻り、第一運転状態であるときに（Ｓ５，Ｙ）、第二運転状態への移行時刻になると（Ｓ６，Ｙ）、曝気装置３５ａを稼動し（Ｓ７）、その後硝化槽３２の溶存酸素濃度が所定値以上（例えば、４ｍｇ／Ｌ以上）になると（Ｓ８，Ｙ）、ポンプＰ３〜Ｐ８を稼動し、さらに前処理装置や前脱水装置を停止して第二運転状態への移行を完了する（Ｓ９）。
【００８５】
ステップＳ５で、第二運転状態であれば（Ｓ５，Ｎ）、汚水投入延べ時間の経過を待って（Ｓ１０，Ｙ）、ポンプＰ３〜Ｐ８を停止し（Ｓ１１）、その後硝化槽３２の溶存酸素濃度が所定値以上（例えば、４ｍｇ／Ｌ以上）になると（Ｓ１２，Ｙ）、曝気装置３５ａを停止し、さらに前処理装置や前脱水装置を稼動して第一運転状態への移行を完了する（Ｓ１３）。
【００８６】
尚、前処理装置や前脱水装置を備えていない汚水処理プラント１、或は前処理装置や前脱水装置を制御対象としない汚水処理プラントでは、ステップＳ９やステップＳ１３で説明した前処理装置や前脱水装置の停止または稼動の切替処理は不要となる。
【００８７】
即ち、演算装置６２のうちステップＳ７からステップＳ９を実行する部位によって、第二運転状態への移行時刻に第二運転状態に移行するため、まず曝気装置３５ａを稼動し、硝化槽３２の溶存酸素濃度が所定値以上になった後に前記ポンプ装置を稼動する送水遅延制御部が構成され、演算装置６２のうちステップＳ１１からステップＳ１３を実行する部位によって、第二運転状態への移行時刻から汚水投入延べ時間の経過後に第一運転状態に移行するため、まずポンプ装置を停止し、硝化槽３２の溶存酸素濃度が所定値以上になった後に曝気装置３５ａを停止する曝気遅延制御部が構成される。
【００８８】
尚、硝化槽３２の溶存酸素濃度を検出するセンサに代えて第二運転状態への移行時や第一運転状態への移行時に溶存酸素濃度が目標値になる時間を設定可能なタイマーを備えて、タイマーがカウントアップしたときにポンプを稼動、もしくは曝気装置を停止するように送水遅延制御部及び曝気遅延制御部を構成してもよい。
【００８９】
一日当たりの目標汚水処理量及び当該汚水のＢＯＤは季節等によって変動する値であり、また、時の経過に従って変動する値であるので、例えば、数ヶ月単位から一週間単位で定期的に変更設定すればよく、その値に応じて第二運転状態への移行時刻も適宜設定すればよい。また、深夜時間帯で電力が安価になる場合には、そのような時間帯で第二運転状態に切り替えるように自動設定する機能を備えていてもよい。
【００９０】
本発明による運転方法を適用した汚水処理プラントについて、実処理量が定格処理量の７０％程度であるとしてシミュレーションすると、日中の９時から２０時までを第一運転状態とし、２０時から９時までを第二運転状態とすることができた。その結果、ポンプ装置による送水量や曝気装置による曝気量を低下させることにより２４時間連続的に稼動する場合に比べて、一日の総消費電力は約１３％程度削減することができ、９時から２０時までの消費電力は約２６％程度削減することができた。
【００９１】
また、ＢＯＤ／ＳＳ負荷が高い状態で生物処理する際に、土壌微生物活性化剤添加部から土壌微生物活性化剤を供給することによって、活性汚泥の微生物叢を、土壌微生物を優勢とするものへと効率的に誘導し、その結果、汚水に対する浄化処理能力が向上して水質の向上、臭気の低減を図ることができるようになった。さらに、フロック形成能の向上により汚泥沈降性が向上し、膜分離装置の目詰まりの発生が抑制でき、粘性が低下して発泡が抑制され消泡剤の使用量も低減でき、汚泥そのものの発生量も低減できるようになった。
【００９２】
さらには、通常の活性汚泥法と比較して、汚水の浄化処理能力が高く、また臭気の発生が少なくなるので脱臭設備を簡略化でき、汚水のＣＯＤや色度を大きく低減できるために、後段に必要とされる高度処理設備を縮小でき、さらには汚泥発生量が少なくなるため、余剰汚泥の処理設備を小型化できる等、様々な設備コストを低減することができるようになる。
【００９３】
以上の説明では、オペレータが操作装置６１の入力部を介して一日当たりの目標汚水処理量及び当該汚水のＢＯＤを入力すると、運転制御装置６によって、ＢＯＤ／ＳＳ負荷が算出され、その後第一運転状態と第二運転状態とが自動切換え運転される例を説明したが、本発明による運転方法は、オペレータがＢＯＤ／ＳＳ負荷を算出して、その結果に基づいて運転スケジュールを策定し、第一運転状態と第二運転状態とを手動で切り替えるように構成されてもよい。
【００９４】
つまり、一日当たりの目標汚水処理量及び当該汚水のＢＯＤ、及びＭＬＳＳからＢＯＤ／ＳＳ負荷を算出し、算出したＢＯＤ／ＳＳ負荷が前記所定のＢＯＤ／ＳＳ負荷よりも低い場合に、前記所定のＢＯＤ／ＳＳ負荷で生物処理するように前記第二運転時間を設定し、設定した第二運転時間に基づいて、前記第一運転状態と第二運転状態とを切り替えて運転するものであればよい。
【００９５】
次に、本発明による運転方法が適用可能な汚水処理プラントの別実施形態について説明する。
図３には、標準脱窒素処理方式が採用された汚水処理プラント１Ａが示されている。尚、ここでは上述した浄化槽汚泥対応型脱窒素処理方式が採用された汚水処理プラント１と基本的な構成は同じであるため、相違する箇所を重点的に説明する。
【００９６】
汚水処理プラント１Ａの生物処理設備３Ａには、脱窒素槽３１Ａと硝化槽３２Ａと二次脱窒素槽３３Ａと再曝気槽３４Ａと沈殿槽３７Ａが順に設置されている。
【００９７】
上述したような予め有機物汚泥を積極的に除去する前脱水装置２４を備えておらず、再曝気槽に備えた膜分離装置３６に代えて沈殿槽３７Ａを備えている。そして、沈殿槽３７Ａの上澄み液からリンやＣＯＤを除去する高度処理設備３８Ａを備えている。沈殿槽３７Ａに溜まった汚泥の一部は、ポンプＰ６ａによって返送汚泥として脱窒素槽３１に返送され、ポンプＰ７により余剰汚泥として脱水機３９Ａへ移送されて脱水され、汚泥処理設備５Ａで処理される。
【００９８】
高度処理設備３８Ａは、凝集剤を投入して攪拌する混和槽３８ａと、さらに高分子ポリマーでなる凝集剤を投入して固形分を凝集させる凝集槽３８ｂと、それらが投入された被処理水を沈殿させる凝集沈殿槽３８ｃを備えている。凝集沈殿槽３８ｃに溜まった汚泥の一部は、ポンプＰ６ｂによって凝集汚泥として脱窒素槽３１Ａに返送される。
【００９９】
このような形態の汚水処理プラント１Ａであっても、上述した運転方法、及び運転制御装置を適用可能である。
【０１００】
図４には、高負荷脱窒素処理方式が採用された汚水処理プラント１Ｂが示されている。尚、ここでは上述した標準脱窒素処理方式が採用された汚水処理プラント１Ａと相違する箇所を重点的に説明する。
【０１０１】
汚水処理プラント１Ｂの生物処理設備３Ｂには、深層反応槽３１Ｂと硝化槽３２Ｂと脱窒素槽３３Ｂと再曝気槽３４Ｂと沈殿槽３７Ｂが順に設置されている。
【０１０２】
深層反応槽３１Ｂは、１０ｍ程度の深さの生物処理槽で、その上部に循環ポンプ槽３１ａが連設されている。循環ポンプ槽３１ａからポンプＰ４Ｂで引き抜かれた一部の汚水が深層反応槽３１Ｂに循環供給され、その循環経路にエジェクタ機構が組み込まれて循環汚水と共に空気が供給されるように構成されている。
【０１０３】
エジェクタ機構に連通する空気供給経路にバルブが設置され、バルブの開度を周期的に制御することにより、循環汚水と共に供給される空気量が調整され、深層反応槽３１Ｂ内で無酸素状態と好気状態とが数時間間隔で切り替え可能に構成されている。例えば、１時間の嫌気処理と２時間の好気処理を繰り返すようにバルブが開閉され、嫌気処理と好気処理が３時間周期で繰り返される。
【０１０４】
深層反応槽３１Ｂは、深さが５ｍ程度の脱窒素槽３１に比べて水深が倍程度深いため、槽底付近では水圧が高く酸素の溶存効率が高くなり、高効率の処理ができる。そのため、流入する汚水の負荷が高くても希釈水を供給する必要は無い。
【０１０５】
このような形態の汚水処理プラント１Ｂであっても、上述した運転方法、及び運転制御装置を適用可能である。この場合、深層反応槽３１Ｂが好気処理となっている（ポンプＰ４Ｂ運転中でバルブが開放されている状態）ときにポンプＰ３等を停止する第一運転状態に移行し、深層反応槽３１Ｂの溶存酸素濃度が所定値以上になるとバルブを閉止してエジェクタ機構を介した給気を停止することが好ましい。尚、このとき、同時にポンプＰ４Ｂを停止してもよい。
【０１０６】
また、深層反応槽３１Ｂが嫌気処理となっているときに第二運転状態に移行する場合には、先ず、バルブを開放してエジェクタ機構を介した給気を再開し、深層反応槽３１Ｂの溶存酸素濃度が所定値以上になった後に、ポンプＰ３等を運転するように制御することが好ましい。深層反応槽３１Ｂが好気処理となっているときには、深層反応槽３１Ｂの溶存酸素濃度が所定値以上であれば、直ちにポンプＰ３等を運転すればよい。
【０１０７】
つまり、深層反応槽３１Ｂが好気処理となっているときに第一運転状態に移行し、または、第二運転状態に移行することが好ましい。
【０１０８】
図５には、高負荷（膜分離）脱窒素処理方式が採用された汚水処理プラント１Ｃが示されている。尚、ここでは上述した高負荷脱窒素処理方式が採用された汚水処理プラント１Ｂと相違する箇所を重点的に説明する。
【０１０９】
汚水処理プラント１Ｃの生物処理設備３Ｃには、深層反応槽３１Ｃと硝化槽３２Ｃと脱窒素槽３３Ｃと再曝気槽３４Ｃが順に設置されている。沈殿槽３７Ｂを備えず、代わりに再曝気槽３４Ｃに膜分離装置３６Ｃが浸漬設置されている。
【０１１０】
また、高度処理設備３８Ｃには、無機系の凝集剤のみを添加する混和槽３８ｄと膜分離装置が浸漬設置された凝集膜分離槽３８ｅを備えている。
【０１１１】
このような形態の汚水処理プラント１Ｃであっても、上述した運転方法、及び運転制御装置を適用可能である。この場合も、深層反応槽３１Ｃが好気処理または嫌気処理の何れの状態にあるかに応じた第一運転状態及び第二運転状態への切替のための制御は、上述した高負荷脱窒素処理方式が採用された汚水処理プラント１Ｂの深層反応槽３１Ｂに対するものと同様である。
【０１１２】
上述した実施形態は本発明の一態様であり、該記載により本発明が限定されるものではなく、各部の具体的構成や制御態様は本発明の作用効果が奏される範囲で適宜変更設計可能であることはいうまでもない。
【符号の説明】
【０１１３】
１，１Ａ，１Ｂ，１Ｃ：汚水処理プラント
２：前処理設備
２´：前脱水装置
２１：受入槽
２２：除さ装置
２３：前貯留槽
２４：前脱水装置
２５：貯留槽
３：生物処理設備
３１：脱窒素槽
３２：硝化槽
３３：二次脱窒素槽
３４：再曝気槽
３５ａ，３５ｂ：曝気装置
４：後処理設備
５：汚泥処理設備
６：運転制御装置
６１：操作装置
６２：演算装置
６３：信号入出力装置
７：リアクター
【図１】
2014208322.tif 000003
【図２】
2014208322.tif 000004
【図３】
2014208322.tif 000005
【図４】
2014208322.tif 000006
【図５】
2014208322.tif 000007